(57)【要約】【課題】印刷装置においてクリーニングステーションの動作を調整する装置を提供する。【解決手段】印刷装置は、電荷レセプタと、荷電レセプタの主表面をクリーニングするクリーニングステーションと、クリーニングステーションに接続されたコントローラとを備える。コントローラは、電荷レセプタに生成された画像を確認するように構成され、確認された画像のタイプに基づいて、クリーニングステーションの動作のクリーニングパラメータを調整するように構成されている。【選択図】図１
2011118390.tif 000002
【特許請求の範囲】
【請求項１】
処理方向に可動で、主表面を有する電荷レセプタと、
前記電荷レセプタに電荷を生成するように構成された充電器と、
前記電荷レセプタに画像を生成するように構成された画像生成器と、
前記電荷レセプタに連結されたクリーニングステーションであって、前記電荷レセプタの前記主表面をクリーニングするように構成され、前記電荷レセプタの前記主表面に連結されたクリーニングブラシを含むクリーニングステーションと、
前記クリーニングステーションに連結されたコントローラであって、前記電荷レセプタに生成された画像を確認するように構成され、前記確認された画像に基づいて、前記電荷レセプタに生成された画像のタイプを判断するように構成され、前記電荷レセプタに生成された画像のタイプに基づいて、前記クリーニングステーションの操作のクリーニングパラメータを調整するように構成されたコントローラと、
を含む印刷装置。
【請求項２】
前記コントローラが、前記画像のタイプに基づいて、前記クリーニングブラシの回転速度を調整することにより、前記クリーニングステーションの操作のクリーニングパラメータを調整するように構成されている請求項１に記載の装置。
【請求項３】
前記コントローラが、前記電荷レセプタに生成された前記画像のタイプに基づいて、前記クリーニングブラシにかかる応力を判断するように構成され、前記クリーニングブラシにかかる前記応力に基づいて、前記クリーニングステーションの操作のクリーニングパラメータを調整するように構成されている請求項１に記載の装置。
【請求項４】
前記コントローラが、前記クリーニングブラシにかかる応力に基づいて、応力の少ない状態については、前記クリーニングブラシのバイアスを下げ、応力の多い状態については、前記クリーニングブラシの前記バイアスを上げることにより、前記クリーニングステーションの操作のクリーニングパラメータを調整するように構成されている請求項３に記載の装置。
【発明の詳細な説明】
【技術分野】
【０００１】
本明細書に開示されているのは、印刷装置においてクリーニングステーションの操作を調整する装置および方法である。
【背景技術】
【０００２】
現在、画像出力デバイス、例えば、プリンタ、多機能媒体デバイス、電子写真機、インクジェットプリンタおよびその他デバイスを用いて、媒体シート、例えば、紙、基材、透明フィルム、プラスチック、ボール紙またはその他媒体シートに画像が生成されている。画像を生成するにあたり、感光体が、マーキング材料、例えば、トナー、インクジェットインクまたはその他マーキング材料を、媒体シートに転写して、潜像を媒体シートに形成する。すると、定着アセンブリが、熱および／または圧力を媒体シートに加えることにより、潜像を媒体シートに固定または溶解する。画像が媒体シートに定着されたら、クリーニングステーションが、回転クリーニングブラシを用いて、残渣マーキング材料およびその他破片を、感光体からクリーニングして落とす。
【先行技術文献】
【特許文献】
【０００３】
【特許文献１】米国特許第７５０５７０４号明細書
【特許文献２】米国特許第７３１５７２２号明細書
【発明の概要】
【発明が解決しようとする課題】
【０００４】
残念ながら、感光体クリーニングは研磨性であり、感光体表面および性能が経時で損なわれる。現在のクリーニングの実施は、高濃度なベタ部分と感光体処理方向にかなりの長さのある線を伴う負担の多い場合向けに設計されている。このように、現在のクリーニングの実施は、高バイアスおよび高速の毎分クリーニングブラシ回転（ＲＰＭ）を伴うものであり、高バイアスによるシステム信頼性と、高速ＲＰＭによる印刷品質の両方に悪影響を及ぼし得る。現在のクリーニングの実施では、感光体の画像のタイプに基づいて、クリーニングステーションの動作が調整されない。
【０００５】
このように、印刷装置においてクリーニングステーションの動作を調整する装置および方法が必要とされている。
【課題を解決するための手段】
【０００６】
印刷装置においてクリーニングステーションの操作を調整する装置および方法が開示されている。装置は、処理方向に可動で、主表面を有する電荷レセプタを含むことができる。装置は、電荷レセプタに電荷を生成するように構成された充電器と、電荷レセプタに画像を生成するように構成された画像生成器とを含むことができる。装置は、電荷レセプタに連結されたクリーニングステーションを含むことができる。クリーニングステーションは、電荷レセプタの主表面に連結されたクリーニングブラシを含むことができる。クリーニングステーションは、電荷レセプタの主表面をクリーニングするように構成することができる。装置は、クリーニングステーションに連結されたコントローラを含むことができる。コントローラは、電荷レセプタに生成された画像のタイプを判断するように構成することができ、電荷レセプタに生成された画像のタイプに基づいて、クリーニングステーションの操作のクリーニングパラメータを調整するように構成することができる。
【０００７】
開示内容の利点および特徴が分かるように説明するために、上記に簡単にまとめた開示内容のより具体的な説明を、添付の図面に例示された具体的な実施形態を参照して行う。これらの図面は、開示内容の典型的な実施形態のみを示しており、その範囲を限定しようとするものではなく、開示内容は、添付の図面により、さらに具体的かつ詳細に記載および説明される。
【図面の簡単な説明】
【０００８】
【図１】一実施形態による装置の一例である。
【図２】一実施形態による方法のフローチャートの例である。
【図３】一実施形態による印刷装置の一例である。
【図４】媒体シートが処理方向に動く際に媒体シートに印刷される画像の一例を示す。
【図５】媒体シートが処理方向に動く際に媒体シートに印刷される画像の別の例を示す。
【発明を実施するための形態】
【０００９】
図１は、装置１００の一例、例えば、静電写真印刷装置、電子写真印刷装置、インクジェット印刷装置または画像を媒体に生成する任意のその他の装置である。装置１００はまた、プリンタ、多機能媒体デバイス、電子写真機、レーザープリンタ、インクジェットプリンタまたは画像を媒体に生成する任意のその他のデバイスの一部であってもよい。装置１００は、媒体１３５、例えば、紙、プラスチック、ステッカーまたはその他媒体を搬送し得る媒体搬送部１３０を含むことができる。装置１００は、処理方向Ｐに可動の電荷レセプタ１１０を含むことができる。電荷レセプタ１１０は、主表面１１１を有することができる。電荷レセプタ１１０は、感光体とすることができる。電荷レセプタ１１０はまた、感光体を含むマーキングシステムの一部とすることもでき、感光体は、感光体電荷輸送表面１１１を有することができる。例えば、感光体は、ベルトまたはドラムとすることができ、静電像を形成するための感光体電荷輸送表面を含むことができる。感光体は、処理方向Ｐに回転することができ、画像を媒体１３５に生成することができる。
【００１０】
装置１００は、電荷レセプタ１１０に電荷を生成するように構成された充電器１４０を含むことができる。充電器１４０は、スコロトロンシールド１４２、スコロトロン、帯電ロールまたは電圧を光導電体１１０に加えることができる任意のその他の電界生成デバイスとすることができる。例えば、スコロトロン１４０は、スコロトロン電荷格子１４４および光導電体１１０から、スコロトロン電荷格子１４４の反対側に位置するスコロトロンワイヤまたはピンアレイ１４６を含むことができる。スコロトロンピンアレイ１４６は、電界を生成するように構成することができる。スコロトロン電荷格子１４４およびスコロトロンピンアレイ１４６は、光導電体１１０に表面電位を生成するように構成することができる。より詳細な操作では、電荷レセプタ１１０が、処理方向Ｐに回転する際に、充電器１４０は、静電荷を電荷レセプタ１１０の表面に付与することにより、電荷レセプタ１１０表面を帯電することができる。
【００１１】
装置１００は、画像を電荷レセプタ１１０に生成するように構成された画像生成器１１２を含むことができる。画像生成器１１２は、印刷する所望の画像に対応する構成で、電荷レセプタ１１０の選択した部分を放電し得るラスタ出力スキャナ、例えば、レーザー源、発光ダイオード（ＬＥＤ）バーまたはその他関連デバイスとすることができる。例えば、ラスタ出力スキャナは、潜像に、より正の電圧を放電する。さらなる例として、充電器１４０は、レーザー源１１４および回転可能なミラー１１６を含み得るラスタ出力スキャナとすることができ、これらは一緒に作動して、印刷する所望の画像に従って、電荷レセプタ１１０の表面の特定の領域を放電し得る。レーザー源１１４の代わりに、他の構成要素を用いて、電荷保持表面１１１、例えば、ＬＥＤバー、光レンズシステムまたは電荷保持表面を放電し得るその他構成要素を選択的に放電することができる。レーザー源１１４は、それに供給されたデジタル画像データに従って調節することができ、回転可能な鏡１１６によって、レーザー源１１４から調節されたビームを、電荷レセプタ１１０の処理方向Ｐに垂直な高速走査方向に動かすことができる。
【００１２】
装置１００は、電荷レセプタの画像を媒体１３５に転写し得る定着器１２２を含むことができる。例えば、定着器１２２によって、トナーやインク等のマーキング材料が、媒体１３５へと溶融または溶解して、媒体１３５に永久画像を形成することができる。装置１００は、電荷レセプタ１１０に連結されたクリーニングステーション１２４を含むことができる。クリーニングステーション１２４は、電荷レセプタ１１０の主表面１１１をクリーニングするように構成することができる。クリーニングステーション１２４は、電荷レセプタ１１０の主表面１１１に連結されたクリーニングブラシ１２５を含むことができる。例えば、クリーニング装置１２４は、画像が媒体１３５に転写された後、ブラシ１２５の繊維と、電荷レセプタ表面１１１にある残渣トナー間に生成された電界を用いて、電荷レセプタ１１０をクリーニングすることができる。
【００１３】
装置１００は、クリーニングステーション１２４に連結されたコントローラ１５０を含むことができる。コントローラ１５０はまた、充電器１４０、電荷レセプタ１１０および装置１００のその他構成要素に連結させることもでき、装置１００の操作をコントロールすることができる。コントローラ１５０は、電荷レセプタ１１０に生成された画像のタイプを判断するように構成することができ、電荷レセプタ１１０に生成された画像のタイプに基づいて、クリーニングステーション１２４の操作のクリーニングパラメータを調整するように構成することができる。例えば、コントローラ１５０は、電荷レセプタ１１０に生成された画像を予め確認することができ、確認された画像に基づいて、電荷レセプタ１１０に生成された画像のタイプを判断することができる。さらなる例として、画像のタイプは、マーキング材料の濃度、例えば、処理方向Ｐにおけるマーキング材料の面積当たりの質量に基づくもの、処理方向Ｐの濃い線の長さに基づくもの、テキスト画像とする、写真画像とする、テキストとグラフィックスの組み合わせとする、潤滑パッチとする、またはその他任意のタイプの画像とすることができる。画像のタイプはまた、画像の画像構造、例えば、画像にある線の構成、画像にある線の繰り返し対ランダム性、またはその他トナー画像に基づくものとすることもできる。例えば、ハーフトーンおよびテキストは、ベタおよび反復線より薄いものとなり得る。詳しく述べると、テキストは、反復線よりランダムで、ゴースト画像をあまり形成しない傾向がある。画像のタイプについてのかかる情報を用いて、クリーニングステーション１２４の操作のクリーニングパラメータを調整することができる。
【００１４】
一実施形態によれば、コントローラ１５０は、画像のマーキング材料の濃度または密度を判断することにより、電荷レセプタ１１０に生成された画像のタイプを判断するように構成でき、画像のマーキング材料の密度に基づいてクリーニングステーション１２４の操作のクリーニングパラメータを調整するように構成することができる。他の例として、コントローラ１５０は、画像の画像構造を判断することにより、電荷レセプタ１１０に生成された画像のタイプを判断するように構成でき、画像の画像構造に基づいてクリーニングステーション１２４の操作のクリーニングパラメータを調整するように構成することができる。
【００１５】
コントローラ１５０は、画像のタイプに基づいてクリーニングブラシ１２５の回転速度を調整することにより、クリーニングステーション１２４の操作のクリーニングパラメータを調整するように構成することができる。コントローラは、低濃度の画像のマーキング材料については、クリーニングブラシ回転速度を下げ、高密度の画像のマーキング材料については、クリーニングブラシ回転速度を上げることにより、クリーニングブラシ１２５の回転速度を調整することができる。例えば、コントローラ１５０は、反復応力のためには回転速度を上げ、反復応力を低くするには回転速度を下げることにより、クリーニングブラシ１２５の回転速度を調整することができる。
【００１６】
コントローラ１５０は、電荷レセプタ１１０に生成された画像にタイプに基づいて、クリーニングブラシ１２５にかかる応力を判断するように構成でき、クリーニングブラシ１２５にかかる応力に基づいて、クリーニングステーション１２４の操作のクリーニングパラメータを調整するように構成することができる。例えば、クリーニングブラシ１２５にかかる応力は、トナー、インクまたはその他マーキング材料等の高密度のマーキング材料に基づくものとすることができる。また、クリーニングブラシ１２５にかかる応力は、クリーニングブラシ１２５からの電荷レセプタ１１０にかかる応力に関係する可能性がある。コントローラ１５０は、クリーニングブラシ１２５にかかる応力に基づいて、応力の小さい状態とするには、クリーニングブラシ１２５のバイアスを下げ、応力の大きい状態とするには、クリーニングブラシのバイアスを上げることにより、クリーニングステーション１２４の操作のクリーニングパラメータを調整するように構成することができる。例えば、故障モードは、クリーニングブラシ１２５の高バイアスから、例えば、デバイスにおけるアーキング(arcing)から生じる恐れがある。例えば、クリーニングブラシ電圧に基づく等、エネルギーが低いと、印刷装置画像生成サブシステムの信頼性を高くすることができる。
【００１７】
さらなる例として、コントローラ１５０は、デジタル画像を処理して、画像生成器１１２を操作して、電荷レセプタ１１０に画像を生成することができる。コントローラ１５０は、処理した画像についての情報に基づいて、電荷レセプタ１１０に生成された画像のタイプを確認することができる。例えば、コントローラ１５０は、画像を印刷するために画像データを受信することのできるデジタルフロントエンドを含むことができる。コントローラ１５０は、画像データを分析して、電荷レセプタ１１０に画像を生成するのに用いることのできるマーキング材料の密度を判断することができる。コントローラ１５０は、マーキング材料の密度に基づいて、かつ／または画像データからの他の情報に基づいて、クリーニングステーション１２４の操作のパラメータを調整することができる。
【００１８】
装置１００は、電荷レセプタ１１０に生成された画像を検知するように構成されたセンサ１６０を含むことができる。センサ１６０は、コントローラ１５０に連結することができる。コントローラ１５０は、検知した画像に基づいて、電荷レセプタ１１０に生成された画像のタイプを判断することができる。センサ１６０は、全幅アレイセンサ、トナー濃度（ＴＣ）センサ、トライボセンサまたは電荷レセプタ１１０に生成された画像を検知するのに有用な任意のその他センサとすることができる。例えば、静電センサを用いると、トナー濃度を検出することができ、かつ／またはトライボセンサを用いると、電荷レセプタ１１０の電荷を検出することができる。さらなる例として、印刷装置の既存のセンサの位置を変えると、画像構造および／または密度を判断することができる。変形実施例として、１つ以上のセンサを追加して、電荷レセプタの画像のタイプを検出することができる。既存または追加のセンサは、プロセス制御の既存の機能を組み込むばかりでなく、既存の構造も用いる、かつ／またはプロセス制御を向上させ、効率的なクリーニング機構のためのモジュールとすることもできる。
【００１９】
装置１００は、電荷レセプタ１１０に連結された現像ユニット１１８を含むことができる。現像ユニット１１８は、画像を電荷レセプタ１１０で現像するように構成することができる。例えば、電荷レセプタ１１０の特定の領域がレーザー源１１４により放電された後、現像ユニット１１８は、現像ユニット１１８を用いて電圧バイアスをかけることにより、露光した潜像を現像することができる。現像ユニット１１８は、ドライトナーやインク等、供給されるマーキング材料を、電荷レセプタ１１０の表面の露光された潜像と接触またはその他近づけることができる。
【００２０】
装置１００は、電荷レセプタ１１０に連結された転写ユニット１２０を含むことができる。転写ユニット１２０は、現像した画像を媒体１３５に転写するように構成することができる。例えば、転写ユニット１２０は、電荷レセプタ１１０に付着したトナーを、媒体１３５に電気的に転写することができる。
【００２１】
センサ１６０は、現像ユニット１１８と転写ユニット１２０間に配置することができる。例えば、センサ１６０は、電荷レセプタ１１０の処理方向Ｐに基づいて、現像ユニット１１８の後、転写ユニット１２０の前に配置することができる。センサ１６０は、媒体シートに転写される前に、電荷レセプタ１１０のフル画像を検出でき、コントローラ１５０は、電荷レセプタ１１０から媒体シートに転写されるものが何か正確に判断することができる。
【００２２】
コントローラ１５０はまた、潤滑パッチである画像のタイプを判断するように構成することもでき、クリーニングステーション１２４の操作のクリーニングパラメータを調整して、潤滑パッチである画像のタイプに基づいて、クリーニングを停止するように構成することができる。
【００２３】
関連実施形態によれば、装置１００は、処理方向Ｐに可動の電荷レセプタ１１０を含むことができる。電荷レセプタ１１０は、主表面１１１を有することができる。装置１００は、電荷レセプタ１１０に電荷を生成するように構成された充電器１４０を含むことができる。装置１００は、電荷レセプタ１１０に画像を生成するように構成された画像生成器１１２を含むことができる。装置１００は、電荷レセプタ１１０に連結されたクリーニングステーション１２４を含むことができる。クリーニングステーション１２４は、電荷レセプタ１１０の主表面１１１をクリーニングするように構成することができる。クリーニングステーション１２４は、電荷レセプタ１１０の主表面１１１に連結されたクリーニングブラシ１２５を含むことができる。装置１００は、電荷レセプタ１１０に生成された画像を検知するように構成されたセンサ１６０を含むことができる。装置１００は、クリーニングステーション１２４に連結されたコントローラ１５０を含むことができる。コントローラ１５０は、検知された画像に基づいて、電荷レセプタ１１０に生成された画像のタイプを判断するように構成することができる。コントローラ１５０はまた、電荷レセプタ１１０に生成された画像のタイプに基づいて、クリーニングブラシ１２５の操作のクリーニングパラメータを調整するように構成することもできる。装置１００は、電荷レセプタ１１０に連結された転写ユニット１２０を含むことができる。転写ユニット１２０は、画像を媒体１３５に転写するように構成することができる。
【００２４】
装置１００は、電荷レセプタ１１０に連結された現像ユニット１１８を含むことができる。現像ユニット１１８は、電荷レセプタ１１０で画像を現像するように構成することができる。転写ユニット１２０は、現像した画像を媒体１３５に転写するように構成することができる。センサ１６０は、現像ユニット１１８と転写ユニット１２０の間に配置することができる。
【００２５】
図２に、装置１００等の静電写真印刷装置における方法の例示のフローチャート２００を示す。装置は、処理方向に可動の電荷レセプタを含むことができる。電荷レセプタは、主表面を有することができる。装置は、充電器、画像生成器および電荷レセプタに連結されたクリーニングステーションを含むことができる。クリーニングステーションは、電荷レセプタの主表面に連結されたクリーニングブラシを含むことができる。装置は、センサを含むことができる。装置は、電荷レセプタに連結された現像ユニットを含むことができ、現像ユニットは、電荷レセプタの画像を現像するように構成することができる。装置は、電荷レセプタに連結された転写ユニットを含むことができ、転写ユニットは、現像した画像を、媒体に転写するように構成することができる。センサは、現像ユニットと転写ユニットの間に配置することができる。装置は、クリーニングステーションに連結されたコントローラを含むことができる。方法は２１０で開始される。２２０で、充電器が、電荷レセプタに電荷を生成することができる。２３０で、画像生成器が、画像を電荷レセプタに生成することができる。２４０で、センサは、電荷レセプタに生成された画像を検知することができる。２５０で、コントローラは、電荷レセプタに生成された画像のタイプを判断することができる。例えば、コントローラは、電荷レセプタに生成された画像を確認することができ、確認された画像に基づいて、電荷レセプタに生成された画像のタイプを判断することができる。さらなる例として、コントローラは、画像のマーキング材料の密度を判断することにより、電荷レセプタに生成された画像のタイプを判断することができる。コントローラはまた、画像の画像構造を判断することにより、電荷レセプタに生成された画像のタイプを判断することもできる。画像のタイプを判断するとき、コントローラは、電荷レセプタに生成された画像のタイプに基づいて、クリーニングブラシにかかる応力を判断することができる。コントローラはまた、センシングされた画像に基づいて、電荷レセプタに生成された画像のタイプを判断することもできる。
【００２６】
２６０で、コントローラは、電荷レセプタに生成された画像のタイプに基づいて、クリーニングステーションの操作のクリーニングパラメータを調整することができる。例えば、コントローラは、画像のマーキング材料の密度に基づいて、クリーニングステーションの操作のクリーニングパラメータを調整することができる。コントローラはまた、画像の画像構造に基づいて、クリーニングステーションの操作のクリーニングパラメータを調整することができる。コントローラはまた、画像のタイプに基づいて、クリーニングブラシの回転速度を調整することにより、クリーニングステーションの操作のクリーニングパラメータを調整することもできる。コントローラは、低濃度の画像のマーキング材料については、クリーニングブラシ回転速度を下げ、高濃度の画像のマーキング材料については、クリーニングブラシ回転速度を上げることにより、クリーニングブラシの回転速度を調整することができる。コントローラはまた、クリーニングブラシにかかる応力に基づいて、クリーニングステーションの操作のクリーニングパラメータを調整することもできる。コントローラは、クリーニングブラシにかかる応力に基づいて、応力の小さい状態とするには、クリーニングブラシのバイアスを下げ、応力の大きい状態とするには、クリーニングブラシのバイアスを上げることにより、クリーニングステーションの操作のクリーニングパラメータを調整するように構成することができる。２７０で、クリーニングブラシが、電荷レセプタの主表面をクリーニングすることできる。２８０で、方法を終了することができる。
【００２７】
図３に、例示の印刷装置３００を示す。本明細書で用いる「印刷装置」という用語には、任意の装置、例えば、デジタル複写機、製本機、多機能機および任意の目的で印刷出力機能を実施するその他印刷デバイスが含まれる。印刷装置３００を用いて、様々な媒体、例えば、コート、未コート、予めマークを付した、または普通紙シートに印刷を行うことができる。媒体は、様々なサイズおよび重量を有することができる。ある実施形態において、印刷装置３００は、モジュール構成を有することができる。図示するとおり、印刷装置３００は、少なくとも１つの媒体フィーダーモジュール３０２、媒体フィーダーモジュール３０２に近接したプリンタモジュール３０６、プリンタモジュール３０６に近接したインバータモジュール３１２およびインバータモジュール３１４に近接した少なくとも１つのスタッカーモジュール３１６を含むことができる。
【００２８】
印刷装置３００において、媒体フィーダーモジュール３０２は、様々なサイズ、幅、長さおよび重量を有する媒体３０４を、プリンタモジュール３０６にフィードするよう適合することができる。プリンタモジュール３０６は、装置１００を含むことができる。プリンタモジュール３０６において、トナーは、現像ステーション３１０の構成から、帯電感光体ベルト３０７まで転写されて、感光体ベルト３０７にトナー画像を形成する。トナー画像は、用紙搬送路を通して供給された媒体３０４に転写される。媒体３０４は、媒体３０４のトナー画像を溶解するよう適合された定着器３１２を通して進む。インバータモジュール３１４は、プリンタモジュール３０６から出る媒体３０４を操作して、媒体３０４をスタッカーモジュール３１６に通過させるか、または媒体３０４をプリンタモジュール３０６に反転させて戻すかする。スタッカーモジュール３１６では、印刷媒体は、スタッカーカート３１７上に配置されて、スタック３２０を形成する。
【００２９】
図４に、可能な実施形態に従って、媒体シートが処理方向４１０に動く際に、媒体シートに印刷することのできる画像４００の例を示す。画像４００は、クリーニングブラシにあまり応力のかからないハーフトーン画像およびテキストを含み得る。このように、画像４００を生成した電荷レセプタをクリーニングするとき、クリーニングブラシのバイアスおよび回転速度を下げることができる。
【００３０】
図５に、可能な実施形態に従って、媒体シートが処理方向５１０に動く際に、媒体シートに印刷される画像５００の例を示す。画像５００は、クリーニングブラシにより応力のかかる、ベタ部分、線を処理方向５１０に、そして、繰り返しのベタ部分または繰り返しの線を含み得る。このように、画像５００を生成した電荷レセプタをクリーニングするとき、クリーニングブラシのバイアスおよび回転速度を上げることができる。
【００３１】
実施形態は、全幅インラインセンサ等のセンサにより判断されるとおり、最適なクリーナーブラシ毎分回転（ＲＰＭ）およびバイアスを用いて、より長い感光体およびクリーナーブラシ寿命を与えることのできるものである。全幅アレイセンサまたは全幅ＴＣ／トライボセンサを転写の前に用いることができる。コントローラは、画像のタイプを判断し、クリーニングパラメータを適宜調整するため、より攻撃的なクリーニングを、高密度の線およびベタ部分があっても行うことができる。通常の画像、例えば、応力のかからないハーフトーンおよびテキストは、同レベルのクリーニングを必要としないため、これに対応して、クリーニングブラシのＲＰＭおよびバイアスが低くても、感光体性能が増大し、システム信頼性が改善し得る。センサ、例えば、全幅アレイセンサは、現像後、転写前に配置すると、コントローラが、画像のタイプを判断して、応力画像の存在下、応力のかかったレベルのクリーニングパラメータを初期化することができる。クリーニングのための画像応力因子には、処理方向における高密度（質量／面積）が含まれる。電源の速度および実行されているクリーナーモータに応じて、バイアスおよびＲＰＭは、生産性の改善のために、最良のコントロールパッチクリーニングをすることと、かつ／または感光体潤滑パッチにはクリーニングしないことを、十分な早さで切り替えることができる。感光体寿命と機械生産性の両方に改善が得られ、印刷装置の実行費用に利益が得られる。
【００３２】
ある実施形態によれば、センサ、例えば、全幅アレイセンサは、リアルタイムフィードバックで実施される。画像密度は、ＴＣ／トライボセンサおよび印刷装置の現像電界に基づいてリアルタイムで計算することができる。また、クリーニングパラメータは、画像応力レベルに基づいてコントロールすることができる。例えば、応力線およびベタ部がないときは、クリーナーブラシは、実質的に低いＲＰＭおよびバイアスレベルで実行でき、クリーナーブラシと感光体寿命の両方を延ばすことができる。実行している画像のタイプに応じて、クリーナーブラシと感光体寿命は、２０％まで、またはそれ以上延びる可能性がある。
【００３３】
実施形態は、プログラムプロセッサで実施してよい。ただし、実施形態はまた、汎用または専用コンピュータ、プログラムマイクロプロセッサまたはマイクロコントローラおよび周辺集積回路素子、集積回路、ハードウェア電子または論理回路、例えば、離散素子回路、プログラム可能な論理デバイス等でも実施してよい。一般に、実施形態を行える有限状態機械にある任意のデバイスを用いて、本開示内容のプロセッサ機能を実施してよい。
【００３４】
本開示内容を、その特定の実施形態について説明してきたが、多くの変形、修正および変化が当業者には明らかなことが明白である。例えば、実施形態の様々な構成要素を、他の実施形態で、交換、追加または置き換えてもよい。また、各図の構成要素が全て、実施形態の操作に必要ではない。例えば、当業者であれば、独立クレームの構成要素を単に用いることにより、開示内容に教示されるものを作製し、使用することができるはずである。従って、本明細書に規定された開示内容の実施形態は、例示であり、限定しようとするものではない。開示内容の精神および範囲から逸脱することなく、様々な変更を行ってよい。
【００３５】
本明細書において、「第１」、「第２」等といった相関的な用語は、あるエンティティまたは動作を、他のエンティティまたは動作から、かかるエンティティまたは動作間に何らかの実際のかかる関係または順番を必ずしも必要としたり、暗示することなく、区別するためのみで用いられる。同じく、「上」、「下」、「前」、「後」、「水平」、「垂直」等といった相関的な用語は、構成要素の互いに対する空間的な配向を、何らかの他の物理的な座標系に対する空間的な配向を必ずしも暗示することなく、区別するためのみで用いられる。「含む」、「含んでいる」という用語またはそれを変えたものは、非排他的な包含をカバーするものであり、挙げた構成要素を含むプロセス、方法、物品または装置は、それらの構成要素のみを含むものでなく、かかるプロセス、方法、物品または装置に明白に挙げられていない、または固有のものでないその他構成要素を含んでいてもよい。「１つの」等と記された構成要素は、それ以上制約されず、その構成要素を含むプロセス、方法、物品または装置において追加の同一の構成要素の存在を排除するものではない。同様に、「別の」という用語は、少なくとも第２またはそれ以上と定義される。本明細書で用いる「有する」、「持つ」等という用語は、「含む」と定義される。
【符号の説明】
【００３６】
１００  装置、１１０  電荷レセプタ、１１１  主表面または電荷保持表面、１１２  画像生成器、１１４  レーザー源、１１６  ミラー、１１８  現像ユニット、１２０  転写ユニット、１２２  定着器、１２４  クリーニング装置、１２５  クリーニングブラシ、１３０  媒体搬送部、１３５  媒体、１４０  充電器またはスコロトロン、１４２  スコロトロンシールド、１４４  スコロトロン電荷格子、１４６  スコロトロンピンアレイ、１５０  コントローラ。
【図１】
2011118390.tif 000003
【図２】
2011118390.tif 000004
【図３】
2011118390.tif 000005
【図４】
2011118390.tif 000006
【図５】
2011118390.tif 000007